(57)【要約】【課題】雌型の電気接続端子と雄型の電気接続端子との電気接続が長期にわたって安定して行われる雌型の電気接続端子を提供する。【解決手段】雌型の電気接続端子１は、雄型の電気接続端子２０１が挿入される挿入口４を具え、かつ基板１０１に固定される端子であり、基板１０１に固定され、かつ互いに対向する一対の固定部８と、該一対の固定部８を連結させる連結面３を有し、該連結面３の一部に挿入口４が形成された挿入部２とを具え、一対の固定部８が基板１０１に固定された雌型の電気接続端子１は、挿入口４に雄型の電気接続端子２０１が挿入されると、該挿入に対する挿入口４が形成された連結面３の弾発力によって、雄型の電気接続端子２０１に接触してこれを押圧し雄型の電気接続端子２０１に電気的接続する。【選択図】図９
2010205494.tif 000002
【特許請求の範囲】
【請求項１】
雄型の電気接続端子が挿入される挿入口を具え、かつ基板に固定される雌型の電気接続端子において、
前記基板に固定され、かつ互いに対向する一対の固定部と、
該一対の固定部を連結させる連結面を有し、該連結面の一部に前記挿入口が形成された挿入部とを具え、
前記一対の固定部が前記基板に固定された前記雌型の電気接続端子は、前記挿入口に前記雄型の電気接続端子が挿入されると、該挿入に対する前記挿入口が形成された前記連結面の弾発力によって、前記雄型の電気接続端子に接触して前記雄型の電気接続端子を押圧し前記雄型の電気接続端子に電気的接続するようにしたことを特徴とする雌型の電気接続端子。
【請求項２】
前記連結面には、前記雄型の電気接続端子の一対の側面のうち少なくとも一方の側面に接触して該少なくとも一方の側面を押圧し前記雄型の電気接続端子に電気的接続する電極が形成されていることを特徴とする請求項（１）に記載の雌型の電気接続端子。
【請求項３】
前記連結面は、湾曲面を有していることを特徴とする請求項（１）又は請求項（２）に記載の雌型の電気接続端子。
【請求項４】
前記連結面は、角が形成された面を有していることを特徴とする請求項（１）又は請求項（２）に記載の雌型の電気接続端子。
【請求項５】
前記連結面に尖った部分が形成されている面を有することを特徴とする請求項（１）又は請求項（２）に記載の雌型の電気接続端子。
【請求項６】
前記連結面は、ベリリウム銅により形成されていることを特徴とする請求項（１）〜請求項（５）のいずれか一項に記載の雌型の電気接続端子。
【請求項７】
前記一対の固定部同士をかしめた場合に半田充填孔が形成され、
該半田充填孔には、前記一対の固定部を前記基板に半田付けする際に該半田が充填されることを特徴とする請求項（１）〜請求項（６）のいずれか一項に記載の雌型の電気接続端子。
【請求項８】
前記雄型の電気接続端子と対向する前記連結面には、凸部が形成されていることを特徴とする請求項（１）〜請求項（７）のいずれか一項に記載の雌型の電気接続端子。
【請求項９】
前記凸部は、前記雄型の電気接続端子の挿入方向に沿って線状に突出する凸部を具えていることを特徴とする請求項（８）に記載の雌型の電気接続端子。
【請求項１０】
前記凸部は、ドット形状の凸部を具えていることを特徴とする請求項（８）に記載の雌型の電気接続端子。
【請求項１１】
前記雌型の電気接続端子は、一枚の金属板の折り曲げ加工によって形成されることを特徴とする請求項（１）〜（１０）のいずれか一項に記載の雌型の電気接続端子。
【請求項１２】
前記雌型の電気接続端子は、押し出し成型によって形成され、前記一対の固定部が形成されずに、前記基板に固定される一つの固定部が形成され、
前記連結面は、当該一つの固定部を始端とし、当該一つの固定部を終端とする面であることを特徴とする請求項（１）〜（６）、（８）〜（１０）のいずれか一項に記載の雌型の電気接続端子。
【発明の詳細な説明】
【技術分野】
【０００１】
本発明は、電子機器に配設される電気接続端子に関し、特に雄型の電気接続端子に電気接続する雌型の電気接続端子に関するものである。
【背景技術】
【０００２】
電子機器には、一般に、電気接続端子が配設されている。この電気接続端子には、雄型の電気接続端子と、該雄型の電気接続端子に電気接続する雌型の電気接続端子とがある。
【０００３】
従来の雌型の電気端子は、先端が互いに間隔を隔てて配置される一対の端子片を具えている。この各端子片の後端は、互いに重ね合わされて基板に固定されている。この各端子片の略中央には、対向する端子片へ向け突出する電極が形成されており、各電極は互いに対向している。
なお、この従来の雌型の電気接続端子の各端子は、それぞれ１枚の金属製の平板を折り曲げ加工して形成されたものである。また、雄型の電気接続端子は、平板状に形成された一対の側面を有している。
【０００４】
上述した従来の雌型の電気接続端子では、その各端子片の先端間に、雄型の電気接続端子を挿入すると、各端子片の電極が、該電極に対向する雄型の電気接続端子の各側面にそれぞれ接触して雄型の電気接続端子の各側面をそれぞれ押圧し、これにより雌型の電気接続端子と雄型の電気接続端子とが電気接続する。
【発明の概要】
【発明が解決しようとする課題】
【０００５】
ところで、従来の雌型の電気端子は、先端が互いに間隔を隔てて配置された一対の端子片を具え、各端子片の後端は、互いに重ね合わされて基板に固定されており、各端子片の先端間に雄型の電気接続端子を挿入すると、各端子片の電極が雄型の電気接続端子に接触して各端子片の電極が雄型の電気接続端子を押圧し、これにより雌型の電気接続端子と雄型の電気接続端子とが電気接続する構造であるから、雌型の電気接続端子の各電極が雄型の電気接続端子を押圧する力が弱く、そのため雄型の電気接続端子が雌型の電気接続端子に対し動いて雄型の電気接続端子と雌型の電気接続端子との電気接続が不良になることがあるという問題があった。
【０００６】
この発明は、上述した事情に鑑み、雌型の電気接続端子と雄型の電気接続端子との電気接続が長期間にわたって安定して行われる雌型の電気接続端子を提供することを目的とする。
【課題を解決するための手段】
【０００７】
上述した課題を解決するため、この発明の雌型の電気接続端子は、雄型の電気接続端子が挿入される挿入口を具え、かつ基板に固定される雌型の電気接続端子において、前記基板に固定され、かつ互いに対向する一対の固定部と、該一対の固定部を連結させる連結面を有し、該連結面の一部に前記挿入口が形成された挿入部とを具え、前記一対の固定部が前記基板に固定された前記雌型の電気接続端子は、前記挿入口に前記雄型の電気接続端子が挿入されると、該挿入に対する前記挿入口が形成された前記連結面の弾発力によって、前記雄型の電気接続端子に接触して前記雄型の電気接続端子を押圧し前記雄型の電気接続端子に電気的接続するようにしたことを特徴としている。
【発明の効果】
【０００８】
本願発明の雌型の電気接続端子は、雄型の電気接続端子が挿入される挿入口を具え、かつ基板に固定される雌型の電気接続端子において、前記基板に固定され、かつ互いに対向する一対の固定部と、該一対の固定部を連結させる連結面を有し、該連結面の一部に前記挿入口が形成された挿入部とを具え、前記一対の固定部が前記基板に固定された前記雌型の電気接続端子は、前記挿入口に前記雄型の電気接続端子が挿入されると、該挿入に対する前記挿入口が形成された前記連結面の弾発力によって、前記雄型の電気接続端子に接触して前記雄型の電気接続端子を押圧し前記雄型の電気接続端子に電気的接続するようにしたから、上記弾発力によって雌型の電気端子が雄型の電気接続端子を押圧する力を従来に比し強くでき、そのため雄型の電気接続端子が雌型の電気接続端子に対し動くおそれを従来に比し可及的に防止でき、これにより従来に比し雄型の電気接続端子と雌型の電気接続端子との電気接続が長期間にわたって安定して行われるようにすることができる。
【発明を実施するための形態】
【０００９】
以下、この発明に係る雌型の電気接続端子について実施例で詳述する。
【００１０】
図１は本願発明の雌型の電気接続端子の斜視図であって、該雌型の電気接続端子の正面、右側面及び平面を表わした図である。また、図２は図１の雌型の電気接続端子の斜視図であって、該雌型の電気接続端子の背面、右側面及び底面を表した図である。また、図３は、図１の雌型の電気接続端子の正面図である。  
図１および図３で示すように、本願発明の雌型の電気接続端子１は、雄型の電気接続端子２０１（図８）が挿入される挿入口４を具えている。
また、図１乃至図３で示すように、雌型の電気接続端子１は、基板１０１（図７）に固定される一対の固定部８を具えている。  
【００１１】
図４は図３のＡ´−Ａ概念拡大断面図である。
図４で示すように、一対の固定部８は、それぞれ平板状に形成されている。この一対の固定部８は、互いに対向する。  
また、図１および図３で示すように、雌型の電気接続端子１には、雄型の電気接続端子２０１（図８）を挿入させる挿入部２を具えている。
この挿入部２は、図４で示すように、該一対の固定部８を連結させる連結面３を有している。また、この実施例では、連結面３は湾曲面３ｂを有している。この連結面３の一部には、上記した挿入口４（図１）が形成されている。また、連結面３は、ベリリウム銅により形成されている。  
なお、図３のＡ´−Ａの断面方向は、連結面３（後述）の峰３ａ（図３）に対して垂直な方向であり、雄型の電気接続端子２０１の挿入方向に沿った方向である。また、後述するＢ´−Ｂの断面方向もＡ´−Ａの断面方向と平行な方向である。
【００１２】
図５は図１の雌型の電気接続端子の平面図である。また図６は、図３のＢ´−Ｂ概念拡大断面図である。
図５及び図６で示すように、挿入口４は連結面３の一部に形成された孔からなり、この実施例では、挿入口４は、連結面３のうちの湾曲面３ｂに形成されている。なお、この実施例では、挿入口４を構成する孔は、図５で示すように略矩形状に形成されている。
【００１３】
また、図６で示すように、連結面３には、雄型の電気接続端子２０１（図８）の一対の側面２０１ａ、２０１ｂのうち少なくとも一方の側面に接触して該少なくとも一方の側面を押圧し雄型の電気接続端子２０１に電気的接続する電極６が形成されている。
この電極６は、図５および図６で示すように、連結面３のうち、連結面３によって囲まれた空間に向け突出した平面部３ｄによって形成されている。
この実施例の雌型の電気接続端子１では、図５及び図６で示すように、電極６は、連結面３に、互いに間隔を隔てて対向するように２つ配設されている。
なお、後述するように、この実施例の各電極６は、雄型の電気接続端子２０１の両側面２０１ａ、２０１ｂにそれぞれ接触して該両側面２０１ａ、２０１ｂをそれぞれ押圧し、雄型の電気接続端子２０１に電気的接続する。  
また、各電極６を形成している平面部３ｄは、雄型の電気接続端子２０１（図８）の挿入方向および雄型の電気接続端子２０１の側面２０１ａ、２０１ｂに沿って形成され、一対の平面部３ｄは互いに間隔を隔てて平行に配置されている。また、この雌型の電気接続端子１は、金属製部材である。
【００１４】
また、雌型の電気接続端子１には、図６で示すように、各固定部８には、かしめ部材１３を装着させるかしめ孔９が形成されている。一方の固定部８に形成されたかしめ孔９は、他方の固定部８に形成されたかしめ孔９と合致するように形成されている。
【００１５】
雌型の電気接続端子１（図６）を基板１０１（図７）に固定するには、図７で示すように、まず、一対の固定部８同士を、各かしめ孔９にかしめ部材１３を係合することによって、かしめる。すると、かしめ部材１３によって半田充填孔１４が形成される。  
なお、図７は、図６の雌型の電気接続端子の一対の固定部をかしめるとともに、半田充填孔が形成された様子を示す概念図であって、雌型の電気接続端子を基板に電気的接続する前の様子を示す図である。
【００１６】
次に、図８で示すように、この雌型の電気接続端子１（図７）の一対の固定部８を基板１０１の導電パターン１０１ａに対し半田付けすると、雌型の電気接続端子１が基板１０１の導電パターン１０１ａに電気接続されるとともに、雌型の電気接続端子１が基板１０１に固定される。
【００１７】
また、図８で示すように、この一対の固定部８を半田１５によって基板１０１の導電パターン１０１ａに半田付けする際、該半田付けの際の半田１５が半田充填孔１４に充填される。したがって、雌型の電気接続端子１は、半田充填孔１４に充填された半田１５の分、この半田充填孔１４を形成しない従来の雌型の電気接続端子に比べて強固に基板１０１に固定される。  
なお、図８は、図７の雌型の電気接続端子を基板の導電パターンに対し半田付けした際に、雌型の電気接続端子が基板に電気接続されるとともに基板に固定された様子を示す図であって、雌型の電気接続端子に雄型の電気接続端子を電気接続する前（初期姿勢）の雌型の接続端子を示す概念図である。
【００１８】
次に、この雌型の電気接続端子１が、雄型の電気接続端子２０１に電気接続する動作や作用について説明するとともに、雌型の電気接続端子１の詳細な構造を併せて説明する。
【００１９】
雌型の電気接続端子１に雄型の電気接続端子２０１を電気接続させるには、まず、図８で示すように一対の固定部８が基板１０１に固定された雌型の電気接続端子１と、雄型の電気接続端子２０１とを用意する。
なお、雄型の電気接続端子２０１は、一対の側面２０１ａ、２０１ｂを有し、この各側面は、平面によって形成されている。
【００２０】
次に、一対の固定部８が基板１０１に固定された雌型の電気接続端子１（図７）の挿入口４に、雄型の電気接続端子２０１を挿入する。挿入方向は、図８の矢印Ｃで示すように、連結面６の各平面部３ｄに沿った方向と平行な方向である。  
すると、図９で示すように雄型の電気接続端子２０１は、互いに対向する一対の平面部３ｄの間に挿入される。
また、雄型の電気接続端子２０１が一対の平面部３ｄの間に挿入された際、雌型の電気接続端子１の連結面３は、図９で示すように雄型の電気接続端子２０１によって、初期状態の連結面３（図８）から変形する。  
この変形では、連結面３のうち、挿入口４が形成された連結面３の内面３ｃ、３ｃの間の幅Ｗ（図８）が、図９の幅Ｗ´（＞Ｗ）で示すように、雄型の電気接続端子２０１の挿入方向と垂直な方向、すなわち雌型の電気接続端子１の厚み方向に広げられる。
この広げられた、挿入口４が形成された連結面３は、雌型の電気接続端子１が金属製部材であることから、連結面３では、図８で示す初期姿勢に復帰しようとする力が生じ、雄型の電気接続端子２０１の挿入に対する挿入口４が形成された連結面３では、図９の矢印Ｅで示すように、図８で示す初期姿勢に復帰しようとする力、いいかえると弾発力が生じる。
上記雄型の電気接続端子２０１の挿入に対する挿入口４が形成された連結面３の弾発力によって、雌型の電気接続端子１の各電極６は、矢印Ｆで示すように、雄型の電気接続端子２０１の各側面２０１ａ、２０１ｂにそれぞれ接触して該側面２０１ａ、２０１ｂをそれぞれ押圧し雌型の電気接続端子１の各電極６は雄型の電気接続端子２０１に電気接続する。  
【００２１】
このように本願の雌型の電気接続端子１は、基板１０１に固定され、かつ互いに対向する一対の固定部８と、該一対の固定部８を連結させる連結面３を有し、該連結面３の一部に挿入口４が形成された挿入部２とを具え、一対の固定部８が基板１０１に固定された雌型の電気接続端子１（図８）は、挿入口４に雄型の電気接続端子２０１が挿入されると、図９で示すように、雄型の電気接続端子２０１の挿入に対する挿入口４が形成された連結面３の弾発力によって、雄型の電気接続端子２０１に接触して雄型の電気接続端子２０１を押圧し雄型の電気接続端子２０１に電気的接続するから、この雌型の電気接続端子１では、上記弾発力によって、電極６が雄型の電気接続端子２０１を、従来の雌型の電気接続端子に比し強く押圧する。  
そのため、雄型の電気接続端子２０１が雌型の電気接続端子１に対し動く虞を従来に比し可及的に防止でき、これにより従来に比し、雄型の電気接続端子２０１と雌型の電気接続端子１との電気接続が長期間にわたって安定して行われるようにすることができる。
なお、上述した図９は、図８の雌型の電気接続端子に雄型の電気接続端子を電気接続した様子を示す概念図である。なお、電極６に接触し該電極６によって押圧される位置の雄型の電気接続端子１の各側面２０１ａ、２０１ｂは、金属によって形成されていることはいうまでもない。
【００２２】
なお、一対の固定部８を連結させる連結面３とは、連結面３によって囲まれる空間に面した雌型の電気接続端子１の内面、および外面の双方の連結面を意味している。また、連結面３の幅Ｗを形成する内面３ｃ、３ｃは、互いに間隔を隔てて平行に配置され、かつ平面部３ｄが形成されていない連結面３の部分である。また、この内面３ｃ、３ｃは、雄型の電気接続端子２０１の両側面２０１ａ、２０１ｂおよび挿入方向Ｃと平行な面である。
【００２３】
また、この実施例の雌型の電気接続端子１では、電極６は、連結面３に、互いに間隔を隔てて対向するように２つ配設されており、雌型の電気接続端子１は、一対の電極６によって、雄型の電気接続端子２０１の両側面２０１ａ、２０１ｂに接触して雄型の電気接続端子２０１に電気的接続するもの、いいかえると両電極（両側電極）の雌型の接続端子であることとしたが、この発明の雌型の電気接続端子は、雄型の電気接続端子２０１の側面２０１ａ、２０１ｂのうち少なくとも一方の側面に接触して雄型の電気接続端子２０１に電気接続する電極６を有しているものであればよい。  
したがって、図１０の右側、中側および左側の欄のうち、左側の各欄に示すように、両側電極の雌型の電気接続端子に限らず、図１０の右、中側の各欄で示す片電極（片側電極）の雌型の電気接続端子のように、雄型の電気接続端子２０１の一側面２０１ａ（図９）に接触して雄型の電気接続端子２０１に電気接続する電極６を有している雌型の電気接続端子（図１０の中側の各欄のもの）や、雄型の電気接続端子２０１の他側面２０１ｂ（図９）に接触して雄型の電気接続端子２０１に電気接続する電極６を有している雌型の電気接続端子（図１０の右側の各欄のもの）であってもよい。
なお、図１０は、この発明が適用される雌型の電気接続端子の複数の実施例を示す図であり、電極が両電極又は片側電極である場合であって、連結面が丸曲の面、角曲の面、又は尖突曲の面を有している雌型の電気接続端子を示す図である。また、図１０の左上欄に示す雌型の電気接続端子は、図１乃至図９に示した両電極で丸曲の面（湾曲面３ｂ）を有する実施例の雌型の電気接続端子を示している。なお、この図１０では、図１乃至図９と同一部分を同一符号で示している。
【００２４】
また、この実施例では連結面３は、湾曲面３ｂを有しているものとしたが、本発明の雌型の電気接続端子１は、湾曲面３ｂの形状はこれに限定されないし、また、連結面３は湾曲面３ｂを有していないものであってもよい。  
図１０の上段、中段および下段のうち、上段の丸曲の各欄に示す雌型の電気接続端子は、図１乃至図９で示すように、連結面３が湾曲面３ｂを有した雌型の電気接続端子を示したものであるが、この発明が適用される雌型の電気接続端子は、これに限らず、たとえば、図１０の中段の角曲の各欄において挙げたように、連結面３が、略直角の角が形成された面３ｆを有しているものであってもよいし、また、図１０の下段の尖突曲の各欄において挙げたように、連結面３は、連結面３に尖った部分が形成された面３ｇを有するものであってもよい。  
なお、湾曲面３ｂを有する連結面３を具えた雌型の電気接続端子では、湾曲面３ｂに挿入口４を形成することになり、また、角が形成された面３ｆを有する連結面３を具えた雌型の電気接続端子では、角が形成された面３ｆに挿入口４を形成することになり、また連結面３に尖った部分が形成された面３ｇを具えた雌型の電気接続端子では、尖った部分をまたぐように挿入口４が形成されることになる。
【００２５】
また、この実施例の雌型の電気接続端子１は、連結面３がベリリウム銅により形成されているから、連結面３をベリリウム銅でない材料で形成した雌型の電気接続端子に比べて、電気伝導性が良好な雌型の電気接続端子を製造でき、しかも連結面３の弾性力をより大きくすることができるので、電極６は雄型の電気接続端子２０１をより強く押圧できて雄型の電気接続端子２０１が雌型の電気接続端子１に対し動く虞を一層可及的に防止でき、そのため雄型の電気接続端子２０１と雌型の電気接続端子１との電気接続が長期間にわたって一層安定して行われるようにすることができる。
なお、この発明の雌型の電気接続端子は、連結面３がベリリウム銅以外の金属によって形成されていてもよい。
【００２６】
また、この実施例の雌型の電気接続端子１は、固定部８同士をかしめた場合に半田充填孔１４が形成され、該半田充填孔１４には、一対の固定部８を基板１０１に半田付けする際の該半田１５が充填されるから、雌型の電気接続端子１は従来の雌型の電気接続端子に比し強固に基板１０１に固定される。したがって、雌型の電気接続端子１に接続された基板１０１と雄型の電気接続端子２０１との電気接続は、長期間にわたって安定して行われるようにすることができる。
【００２７】
また、この実施例の雌型の電気接続端子１では、雄型の電気接続端子２０１と対向する連結面３には平面部３ｄが形成されるものとしたが、この発明の雌型の電気接続端子は、雄型の電気接続端子２０１と対向する連結面３に、凸部が形成されたものであってもよく、また、この凸部はその形状に限定がない。
【００２８】
たとえば、図１１（ａ）で示すように、この発明の雌型の電気接続端子は、雄型の電気接続端子２０１と対向する連結面３に、雄型の電気接続端子２０１の挿入方向に沿って線状に突出している凸部３ｓを具えた雌型の電気接続端子であってもよい。この凸部３ｓは、連結面３によって囲まれた空間に向けて突出している。また、凸部３ｓは連結面３の各平面部３ｄに形成されており、該凸部３ｓは各平面部３ｄに複数設けられている。
この雌型の電気接続端子２１の一対の固定部８（図７）が基板１０１に固定され、該雌型の電気接続端子２１の挿入口４に雄型の電気接続端子２０１（図９）が挿入されると、図１１（ｂ）のように、凸部３ｓが、該凸部３ｓがそれぞれ対向する雄型の電気接続端子２０１の側面２０１ａ、２０１ｂに接し該側面２０１ａ、２０１ｂをそれぞれ押圧する電極６となり、該電極６により雌型の電気接続端子２１と雄型の電気接続端子２０１とが電気接続する。
なお、凸部３ｓを除いた位置の連結面３ｂの平面部３ｄと、該凸部３ｓに接しない位置の側面２０１ａ、２０１ｂとの間には、図１１（ｂ）で示すように間隙が形成される。
この雌型の電気接続端子２１では、各凸部３ｓとこれに対向する側面２０１ａ、２０１ｂとの接触によって電流に対する接触面積を確保でき、しかも、雄型の電気接続端子２０１を挿入口４から挿入する際に雄型の電気接続端子２０１の側面２０１ａ、２０１ｂが凸部３ｓにそれぞれ摺接し、この摺接によって、雄型の電気接続端子２０１の上記挿入の前から、凸部３ｓとこれに対向する位置の側面２０１ａ、２０１ｂに付着していた接触抵抗となるゴミや酸化膜を、その付着位置から取り除くことができ、これによって接触抵抗を可及的に下げて雄型の電気接続端子２０１と雌型の電気接続端子１との電気接続が長期間にわたって安定して行われるようにすることができる。
【００２９】
なお、上記した図１１は、図１とは別の実施例の雌型の電気接続端子について説明する図であって、図１１（ａ）は雄型の電気接続端子と対向する連結面の平面部に、雄型の電気接続端子の挿入方向に沿って突出する線状の凸部を具えている様子を示す要部概念斜視図であり、図１１（ｂ）はこの雌型の電気接続端子と雄型の電気接続端子が電気接続している様子を示す要部概念断面図である。この図１１では、図１乃至図１０と同一部分を同一符号で示している。
【００３０】
また、図１２（ａ）で示すように、この発明の雌型の電気接続端子は、雄型の電気接続端子２０１と対向する連結面３に、ドット形状（半球形状）の凸部３ｔを具えた雌型の電気接続端子３１であってもよい。この凸部３ｔは、連結面３によって囲まれた空間に向けて突出している。また、凸部３ｔは連結面３の各平面部３ｄに形成されており、該凸部３ｔは各平面部３ｄに複数設けられている。
この雌型の電気接続端子３１の一対の固定部８（図７）が基板１０１に固定され、該雌型の電気接続端子３１の挿入口４に雄型の電気接続端子２０１（図９）が挿入されると、図１２（ｂ）で示すように、凸部３ｔが、該凸部３ｔがそれぞれ対向する雄型の電気接続端子２０１の側面２０１ａ、２０１ｂに接し該側面２０１ａ、２０１ｂをそれぞれ押圧する電極６となり、該電極６によって、雌型の電気接続端子２１と雄型の電気接続端子２０１とが電気接続する。
なお、凸部３ｔを除いた位置の連結面３ｂの平面部３ｄと、該凸部３ｔに接しない位置の側面２０１ａ、２０１ｂとの間に、図１２（ｂ）で示すように間隙が形成される。
この雌型の電気接続端子２１では、凸部３ｔとこれに対向する側面２０１ａ、２０１ｂとの接触により電流に対する接触面積を確保でき、しかも雄型の電気接続端子２０１を挿入口４から挿入する際に雄型の電気接続端子２０１の側面２０１ａ、２０１ｂが凸部３ｔにそれぞれ摺接し、この摺接によって、雄型の電気接続端子２０１の上記挿入の前から、凸部３ｔとこれに対向する位置の側面２０１ａ、２０１ｂに付着していた、接触抵抗となるゴミや酸化膜を、その付着位置から取り除くことができ、これによって接触抵抗を可及的に下げて雄型の電気接続端子２０１と雌型の電気接続端子１との電気接続が長期間にわたって安定して行われるようにすることができる。
【００３１】
なお、上記した図１２は、図１および図１１とは別の実施例の雌型の電気接続端子について説明する図であって、図１２（ａ）は雄型の電気接続端子と対向する連結面の平面部に、ドット形状の凸部を具えている様子を示す要部概念斜視図であり、図１２（ｂ）はこの雌型の電気接続端子と雄型の電気接続端子が電気接続している様子を示す要部概念断面図である。この図１２では、図１乃至図１１と同一部分を同一符号で示している。
【００３２】
また、上述のように凸部を具えた雌型の電気接続端子２１、３１は、いずれも両電極の雌型の電気接続端子としたが、凸部を具えたこの発明の雌型の電気接続端子は、片電極（片側電極）の雌型の電気接続端子であってもよい。
【００３３】
また、上記実施例の雌型の電気接続端子１、２１、３１は、いずれも、一枚の金属板の折り曲げ加工によって形成したものである。したがって、雌型の電気接続端子の製造コストを低くすることができる。
なお、この発明の雌型の電気接続端子の製造方法はこれに限定されず、たとえば、雌型の電気接続端子は、押し出し成型によって形成されるようにしてもよい。
【００３４】
図１３は、この発明が適用される雌型の電気接続端子の複数の実施例を示す図であり、特に押し出し成型によって製造され、電極が両電極又は片側電極である場合であって、連結面が丸曲の面、角曲の面、又は尖突曲の面を有している雌型の電気接続端子を示す図である。
図１３で示す各雌型の電気接続端子のように、押し出し成型によって雌型の電気接続端子を製造した場合には、一対の固定部８（図１）が形成されずに基板１０１に固定される一つの固定部１８が形成され、連結面３は、当該一つの固定部１８を始端とし、当該一つの固定部１８を終端とする面となる。  
なお、この図１３では、図１乃至図１２と同一部分を同一符号で示しており、符号１９は、基板１０１に雌型の電気接続端子を半田付けする際の半田１５が充填する半田充填孔である。
【００３５】
図１３の上段の丸曲の各段に示す雌型の電気接続端子は、連結面３が湾曲面３ｂを有した雌型の電気接続端子を示したものであるが、この発明が適用される雌型の電気接続端子は、これに限らず、図１３の中段の角曲の各段において挙げたように、連結面３が、略直角をなす角が形成された面３ｆを有しているものであってもよいし、また、図１３の下段の尖突曲の各段において挙げたように、連結面３は、連結面３に尖った部分が形成された面３ｇを有するものであってもよい。なお雌型の電気接続端子が湾曲面３ｂを有する場合でも、湾曲面３ｂの形状はこれに限定されないことはもちろんである。
また、湾曲面３ｂを有する連結面３を具えた雌型の電気接続端子では、湾曲面３ｂに挿入口４を形成することになり、また、角が形成された面３ｆを有する連結面３を具えた雌型の電気接続端子では、角が形成された面３ｆに挿入口４を形成することになり、また連結面３に尖った部分が形成された面３ｇを具えた雌型の電気接続端子では、尖った部分をまたぐように挿入口４が形成されることになる。
【００３６】
また、押し出し成型によって製造されるこの発明の雌型の接続端子は、図１３の右側、中側および左側の欄のうち、左側の各欄に示すように、両側電極の雌型の電気接続端子に限らず、図１３の右、中側の各欄で示す片電極（片側電極）の雌型の電気接続端子のように、雄型の電気接続端子２０１の一側面２０１ａ（図９）に接触して雄型の電気接続端子２０１に電気的接続する電極６を有している雌型の電気接続端子（図１３の中側の各欄のもの）や、雄型の電気接続端子２０１の他側面２０１ｂ（図９）に接触して雄型の電気接続端子２０１に電気的接続する電極６を有している雌型の電気接続端子（図１３の右側の各欄のもの）であってもよい。
【００３７】
また、図１３に示す各雌型の電気接続端子においても、図１の雌型の電気接続端子と同様に、連結面３はベリリウム銅以外の金属によって形成されていてもよいが、連結面３をベリリウム銅により形成すれば、連結面３をベリリウム銅でない材料で形成した雌型の電気接続端子に比べて、電気伝導性が良好な雌型の電気接続端子を製造でき、しかも連結面３の弾性力をより大きくすることができるので、電極６は雄型の電気接続端子２０１をより強く押圧することとなって、雄型の電気接続端子２０１が雌型の電気接続端子１に対し動く虞を一層可及的に防止でき、そのため雄型の電気接続端子２０１と雌型の電気接続端子１との電気接続が長期間にわたって一層安定して行われるようにすることができる。
【００３８】
また、図１３に示す各雌型の電気接続端子においても、雄型の電気接続端子２０１と対向する連結面３に凸部が形成されたものであってもよく、この凸部はその形状に制限がない。たとえば、この凸部は、上述した図１１で示すように、雄型の電気接続端子２０１（図９）の挿入方向に沿って線状に突出する凸部３ｓであってもよいし、図１２で示すようにドット形状の凸部３ｔであってもよい。
この雌型の電気接続端子の固定部１８が基板１０１に固定され、該雌型の電気接続端子３１の挿入口４に雄型の電気接続端子２０１（図９）が挿入されると、連結面３に形成された凸部は電極６となって、該電極６によって雌型の電気接続端子２１と雄型の電気接続端子２０１とを電気接続することができる。
なお、凸部を除いた位置の連結面３ｂの平面部３ｄと、該凸部に接しない位置の側面２０１ａ、２０１ｂとの間には間隙が形成される。
この雌型の電気接続端子では、図１１及び図１２で述べたように、凸部と側面２０１ａ、２０１ｂとの接触により電流に対する接触面積を確保でき、しかも雄型の電気接続端子２０１を挿入口４から挿入する際に生じる雄型の電気接続端子２０１の側面２０１ａ、２０１ｂと凸部との摺接によって、雄型の電気接続端子２０１の上記挿入の前から、凸部とこれに対向する位置の側面２０１ａ、２０１ｂに付着していた接触抵抗となるゴミや酸化膜をその付着位置から取り除くことができ、これによって接触抵抗を可及的に下げて雄型の電気接続端子２０１と雌型の電気接続端子１との電気接続が長期間にわたって安定して行われるようにすることができる。
【産業上の利用可能性】
【００３９】
電気接続端子に限らず、雄型部材を強く押圧して雄型部材の雌型部材に対する位置ずれを防止する雌型部材の構造に適用できる。
【図面の簡単な説明】
【００４０】
【図１】図１は、本願発明の雌型の電気接続端子の斜視図であって、該雌型の電気接続端子の正面、右側面及び平面を表わした図である。
【図２】図２は、図１の雌型の電気接続端子の斜視図であって、該雌型の電気接続端子の背面、右側面及び底面を表した図である。
【図３】図３は、図１の雌型の電気接続端子の正面図である。
【図４】図４は、図３のＡ´−Ａ概念拡大断面図である。
【図５】図５は、図１の雌型の電気接続端子の平面図である。
【図６】図６は、図３のＢ´−Ｂ概念拡大断面図である。
【図７】図７は、図６の雌型の電気接続端子の一対の固定部をかしめるとともに、半田充填孔が形成された様子を示す概念図であって、雌型の電気接続端子を基板に電気的接続する前の様子を示す図である。
【図８】図８は、図７の雌型の電気接続端子を基板の導電パターンに対し半田付けした際に、雌型の電気接続端子が基板に電気接続されるとともに基板に固定された様子を示す図であって、雌型の電気接続端子１に、雄型の電気接続端子２０１を電気接続する前（初期姿勢）の雌型の接続端子を示す概念図である。
【図９】図９は、図８の雌型の電気接続端子に雄型の電気接続端子を電気接続した様子を示す概念図である。
【図１０】図１０は、この発明が適用される雌型の電気接続端子の複数の実施例を示す図であり、電極が両電極又は片側電極である場合であって、連結面が丸曲の面、角曲の面、又は尖突曲の面を有している雌型の電気接続端子を示す図である。
【図１１】図１１は、図１とは別の実施例の雌型の電気接続端子について説明する図であって、図１１（ａ）は雄型の電気接続端子と対向する連結面の平面部に、雄型の電気接続端子の挿入方向に沿って突出する線状の凸部を具えている様子を示す要部概念斜視図であり、図１１（ｂ）はこの雌型の電気接続端子と雄型の電気接続端子が電気接続している様子を示す要部概念断面図である。
【図１２】図１２は、図１および図１１とは別の実施例の雌型の電気接続端子について説明する図であって、図１２（ａ）は雄型の電気接続端子と対向する連結面の平面部に、ドット形状の凸部を具えている様子を示す要部概念斜視図であり、図１２（ｂ）はこの雌型の電気接続端子と雄型の電気接続端子が電気接続している様子を示す要部概念断面図である。
【図１３】図１３は、この発明が適用される雌型の電気接続端子の複数の実施例を示す図であり、特に押し出し成型によって製造され、電極が両電極又は片側電極である場合であって、連結面が丸曲の面、角曲の面、又は尖突曲の面を有している雌型の電気接続端子を示す図である。
【符号の説明】
【００４１】
１、２１、３１…雌型の電気接続端子
２…挿入部
３…連結面
３ａ…峰
３ｂ…湾曲面
３ｆ…角が形成された面
３ｇ…尖った部分が形成されている面
３ｓ、３ｔ…凸部
３ｓ…線状の凸部
３ｔ…ドット形状の凸部
４…挿入口
６…電極
８、１８…固定部
８…一対の固定部
１４、１９…半田充填孔
１８…一つの固定部
１５…半田
１０１…基板
２０１…雄型の電気接続端子
２０１ａ、２０１ｂ…雄型の電気接続端子の側面
【図１】
2010205494.tif 000003
【図２】
2010205494.tif 000004
【図３】
2010205494.tif 000005
【図４】
2010205494.tif 000006
【図５】
2010205494.tif 000007
【図６】
2010205494.tif 000008
【図７】
2010205494.tif 000009
【図８】
2010205494.tif 000010
【図９】
2010205494.tif 000011
【図１０】
2010205494.tif 000012
【図１１】
2010205494.tif 000013
【図１２】
2010205494.tif 000014
【図１３】
2010205494.tif 000015